【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ルーフィング、クラッディング又はサイディングモジュールであって、
前記モジュールの頭縁部から延出するアンダラップ領域と、前記モジュールの足縁部から延出する露出領域と、を含み、前記足縁部の長さが前記モジュールの長さを画定し、
前記アンダラップ領域は、建物の表面に取り付けられたときに、隣接する又は重なったモジュールの前記露出領域によって実質的に覆われるように適合されており、
前記モジュールは、押出材料の少なくとも１つの層により形成されており、このように形成された前記層は、
少なくとも４０％ｗ／ｗの充填剤及び／又は補強材と、
１種以上のポリマーと、
を含む、モジュール。
【請求項２】
前記モジュールは、前記モジュールの長さに沿って成形された複数の形成済み表面を含む、請求項１に記載のモジュール。
【請求項３】
前記層は、約６０％〜約９５％ｗ／ｗの充填剤及び／又は補強材を含む、請求項１又は請求項２に記載のモジュール。
【請求項４】
前記層は、少なくとも約５％ｗ／ｗの補強材を含む、請求項１〜請求項３のいずれか一項に記載のモジュール。
【請求項５】
前記層は、約５％〜約３０％ｗ／ｗの補強材を含む、請求項１〜請求項４のいずれか一項に記載のモジュール。
【請求項６】
前記層は、以下のポリマー、すなわち、
ａ）ポリスチレン（ＧＰＰＳ）、
ｂ）ポリエチレンテレフタレート（ＰＥＴ）、
ｃ）ポリエステルメタクリレート（ＰＥＭ）、
ｄ）耐衝撃性ポリスチレン（ＨＩＰＳ）、
ｅ）アクリロニトリルブタジエンスチレン（ＡＢＳ）、
ｆ）ポリ塩化ビニル（ＰＶＣ）、
ｇ）ポリウレタン（ＰＵ）、
ｈ）単独重合体、共重合体、ブロック共重合体及び三元共重合体形態を含むポリエチレン（ＰＥ）、
ｉ）ポリ乳酸（ＰＬＡ）、
ｊ）ナイロン（ＰＡ）、
ｋ）アクリル（ＰＭＭＡ）、
ｌ）高密度ポリエチレン（ＨＤＰＥ）、
ｍ）低密度ポリエチレン（ＬＤＰＥ）、
ｎ）直鎖状低密度ポリエチレン（ＬＬＤＰＥ）、
ｏ）中密度ポリエチレン（ＭＤＰＥ）、
ｐ）架橋ポリエチレン（ＰＥＸ）、
ｑ）熱可塑性エラストマー（ＴＰＥ）、
ｒ）熱可塑性ポリオレフィン（ＴＰＯ）、
ｓ）熱可塑性ゴム（ＴＰＲ）、
ｔ）単独重合体及び共重合体形態を含むポリプロピレン（ＰＰ）、
ｕ）ポリブチレンテレフタレート（ＰＢＴ）、
ｖ）スチレン−アクリロニトリル樹脂（ＳＡＮ）、
ｗ）エチレンテトラフルオロエチレン（ＥＴＦＥ）、
ｘ）ビニル、
ｙ）メタクリル酸塩共重合体、
ｚ）発泡ポリマー、
の１種以上を含む、請求項１〜請求項５のいずれか一項に記載のモジュール。
【請求項７】
前記充填剤は、以下、すなわち、
ａ）タルク、
ｂ）炭酸カルシウム、
ｃ）雲母、
ｄ）シリカ、
ｅ）カオリン、
ｆ）硫酸カルシウム、
ｇ）水酸化マグネシウム、
ｈ）安定剤、
ｉ）ドロマイト、
の１種以上を含む、請求項１〜請求項６のいずれか一項に記載のモジュール。
【請求項８】
前記補強材は、１種以上の非導電性天然又は合成繊維を含み、および／または、
前記補強材は、以下、すなわち、
ａ）ガラス繊維、
ｂ）ガラスビーズ、
ｃ）ガラスフレーク、
ｄ）亜麻、
ｅ）セルロース、
ｆ）木材繊維、
ｇ）木粉、
ｈ）綿、
ｉ）おがくず、
ｊ）無機繊維、
ｋ）ポリマー繊維、
ｌ）ポリマースクリム、
ｍ）ポリマーニット、
ｎ）ポリマーウィーブ、
ｏ）アラミド、
ｐ）セラミックス、
の１種以上を含む、請求項１〜請求項７のいずれか一項に記載のモジュール。
【請求項９】
前記露出領域の頂面の少なくとも一部分は、３次元表面フィーチャを、表面レリーフ又は表面テクスチャのいずれかとして含む、請求項１〜請求項８のいずれか一項に記載のモジュール。
【請求項１０】
前記部分は、
ａ）アスファルトシングル、
ｂ）スレート、
ｃ）シングル、
ｄ）シェイク、
ｅ）コンクリートタイル、
ｆ）ストーンチップ、
ｇ）下見板、
ｈ）屋根ふき材料、
ｉ）石材、
ｊ）木目調の素材、
ｋ）金属、
の１つに類似する表面フィーチャを含む、請求項９に記載のモジュール。
【請求項１１】
前記モジュールは、複数の形成済み表面を更に含み、前記形成済み表面のそれぞれは前記表面フィーチャを含み、前記形成済み表面は溶接線、付着物又は射出成形箇所なしに接合されている、請求項１〜請求項１０のいずれか一項に記載のモジュール。
【請求項１２】
各形成済み表面は、前記モジュール内の個々のタイル又はシングル又はスレート又はシェイクに類似している、請求項１１に記載のモジュール。
【請求項１３】
前記押出材料によりこのように形成された前記層は前記モジュールの基層又は底層として提供され、前記モジュールは、前記基層又は底層上に更なる層として提供された１つ以上の付加的な上層を更に含む、請求項１〜請求項１２のいずれか一項に記載のモジュール。
【請求項１４】
前記１つ以上の上層は押出材料により形成されており、前記１つ以上の上層は、前記基層又は底層と比較して異なる重量パーセントの充填剤及び／又は補強材を含む、請求項１３に記載のモジュール。
【請求項１５】
前記モジュールの基層又は底層などのこのように形成された前記少なくとも１つの層は、約３０・１０‐6ｍ／（ｍＫ）未満の熱膨張係数を有する、請求項１〜請求項１４のいずれか一項に記載のモジュール。
【請求項１６】
前記モジュールの少なくとも一部分は、最上層（又は前記最上層を形成する上層若しくは複数の上層）と、基層若しくは底層（又は前記基層又は底層を形成する下層若しくは複数の下層）と、前記最上層と前記基層又は底層との間の中間層（又は前記中間層を形成する複数の層）と、を含む、請求項１〜請求項１５のいずれか一項に記載のモジュール。
【請求項１７】
このように形成された層は前記モジュールの幅の少なくとも一部及び／又は前記モジュールの長さの少なくとも一部にわたって延在し、このようにして形成された前記モジュールの１つ以上の性質に対し、前記少なくとも１つの層によって変化を与え、前記性質は、
ａ）厚さ、
ｂ）表面積、
ｃ）引張り強さ、
ｄ）剪断強度、
ｅ）レジリエンス、
ｆ）弾性、
ｇ）可撓性、
ｈ）靭性、
ｉ）耐火性、
ｊ）耐水性、
ｋ）連続性又は均一性、
ｌ）耐衝撃性、
ｍ）耐貫通性、
ｎ）固定能力、
ｏ）耐薬品性、
ｐ）耐破壊性、
ｑ）充填剤及び／又は補強材の含有量、
ｒ）充填剤及び／又は補強材の濃度、
ｓ）色、
ｔ）耐微生物性、
ｕ）耐温度性、
ｖ）光／熱吸収／反射率、
ｗ）熱伝達、
の１つ以上から選択される、請求項１〜請求項１６のいずれか一項に記載のモジュール。
【請求項１８】
前記モジュールは、形成された後、任意選択的に、
造形、
折り曲げ、
着色、
波形加工、
表面処理の追加、
穿孔処理、
積層加工、
コーティング、
の１つ以上を含む後処理が施される、請求項１〜請求項１７のいずれか一項に記載のモジュール。
【請求項１９】
前記モジュール表面の少なくとも前記露出領域の下面（例えば、下面は、前記モジュールが固定される前記建物の表面に実質的に隣接して又は面して配置される前記モジュールの表面である）は複数の突起を含む、請求項１〜請求項１８のいずれか一項に記載のモジュール。
【請求項２０】
前記突起は、
−  取り付けられたときに、前記モジュールの前記露出領域を、隣接する又は重なったモジュールの前記アンダラップ領域の前記頂面に接着する、
−  前記モジュールの補強材を提供する、
の１つ以上のための表面を提供する、請求項１９に記載のモジュール。
【請求項２１】
前記露出領域の頂面の少なくとも前記一部分又はある一部分は、１つ以上の層がともに接合される前又は後のいずれかにおいて、前記最上層の前記頂面の少なくとも一部分に着色材料を適用することによって視覚的に観察可能な色を生じるような手法で着色又は処理される、請求項１〜請求項２０のいずれか一項に記載のモジュール。
【請求項２２】
前記モジュールは成形により形成され、前記モジュールの頂面の少なくとも一部分は、前記モジュールの先行物の頂面の少なくとも一部分に着色材料を適用することによって着色される及び／又は装飾される及び／又はテクスチャが施され、前記着色材料は前記成形プロセスの前及び／又は最中に適用される、請求項２１に記載のモジュール。
【請求項２３】
ルーフィング、クラッディング又はサイディングモジュールであって、
前記モジュールの頭縁部から延出するアンダラップ領域と、前記モジュールの足縁部から延出する露出領域と、を含み、前記足縁部の長さが前記モジュールの長さを画定し、
前記アンダラップ領域は、建物の表面に取り付けられたときに、隣接する又は重なったモジュールの前記露出領域によって実質的に覆われるように適合されており、
前記モジュールの少なくとも一部分は、最上層（又は前記最上層を形成する上層若しくは複数の上層）と、底層（又は前記底層を形成する下層若しくは複数の下層）と、前記最上層と前記底層との間の中間層（又は前記中間層を形成する複数の層）と、を含み、
前記最上層又は前記中間層又は前記基層若しくは底層の少なくとも１つ以上は発泡ポリマーを含む、モジュール。
【請求項２４】
前記モジュールの基層又は底層などのこのように形成された前記少なくとも１つの層は、約１６５・１０‐6ｍ／（ｍＫ）未満の熱膨張係数を有する、請求項１に記載のモジュール。
【請求項２５】
前記補強材は、ガラス繊維を含む又はガラス繊維により構成され、前記ガラス繊維は、モジュールの長さに沿って整列されている、請求項１に記載のモジュール。